(57)【要約】【課題】利用者の上半身を起こすために湾曲させるとき、その湾曲を円滑に行なうことができるマットレス装置を提供することにある。【解決手段】上下に重ねられて使用される複数のマットレス部３２，３３，３４と、互いに接触する下側のマットレス部と上側のマットレス部の上面と下面のうちのいずれか一方の面に長手方向に沿って形成された凸状部と、上面と下面のうちの他方の面に凸状部が係合するよう長手方向に沿って形成された凹状部を具備する。【選択図】      図２
2014204748.tif 000002
【特許請求の範囲】
【請求項１】
利用者の上半身を起こすための起床式のベッド装置の床板体上に載置して用いられるマットレス装置であって、
上下に重ねられて使用される複数のマットレス部と、
互いに接触する下側のマットレス部と上側のマットレス部の上面と下面のうちのいずれか一方の面に長手方向に沿って形成された凸状部と、
上記上面と下面のうちの他方の面に上記凸状部が係合するよう長手方向に沿って形成された凹状部と
を具備したことを特徴とするマットレス装置。
【請求項２】
利用者の上半身を起こすための起床式のベッド装置の床板体上に載置して用いられるマットレス装置であって、
上下に重ねられて使用される複数のマットレス部と、
各マットレス部よりも硬質で折り曲げ可能な材料により帯板状に形成され上記マットレス部が折り曲げられたときに潰れて変形するのを制限するよう複数のマットレス部の少なくとも１つの幅方向の両端部に長手方向に沿って設けられ変形規制部材と
を具備したことを特徴とするマットレス装置。
【請求項３】
各マットレス部は芯材を有し、この芯材は、厚さ方向に分割されて積層された複数の層状部材によって形成されていて、上記変形規制部材は積層された上下の層状部材の間に設けられていることを特徴とする請求項２記載のマットレス装置。
【請求項４】
上記複数のマットレス部は外装地を有し、この外装地の上下に重ねられて互いに接触する一方の面は起毛された生地で形成され、他方の面は滑沢性を有する生地で形成されていることを特徴とする請求項１又は請求項２記載のマットレス装置。
【請求項５】
上下に重ねられた上記複数のマットレス部は、上記床板体によって長手方向の一端部が上昇する方向に湾曲させられたとき、上記一端部側がスライドして他端部がスライドするのが制限されるよう上記各マットレス部の長手方向の他端部が連結手段によって着脱可能に連結されていることを特徴とする請求項１又は請求項２記載のマットレス装置。
【請求項６】
上記マットレス部は、下部マットレス部、中間マットレス部及び上部マットレス部の３層構造であることを特徴とする請求項１又は請求項２記載のマットレス装置。
【請求項７】
利用者の上半身を起こすための起床式のベッド装置であって、
ベッドフレームと、複数の床部に分割されるとともに互いに回動可能に連結されて上記ベッドフレームに設けられた床板体と、
この床板体の床部を起伏駆動する駆動手段と、
上記床板体上に設けられるマットレス装置を具備し、
上記マットレス装置は請求項１又は請求項２に記載された構成であることを特徴とするベッド装置。
【発明の詳細な説明】
【技術分野】
【０００１】
この発明は起床式のベッド装置に用いられるマットレス装置及びそのマットレス装置を用いた起床式のベッド装置に関する。
【背景技術】
【０００２】
体力が低下した老人や病人に使用されるベッド装置においては、利用者が食事をする場合などに上半身を起こすのを支援するために、いわゆる起床式のベッド装置が用いられることがある。
【０００３】
上記ベッド装置はベッドフレームの上面に設けられる床板体を、上記ベッドフレームの長手方向に対して複数の床部に分割し、そのうちの利用者の上半身に対応する部分の床部となる、背床部を駆動機構によって起伏駆動できるようにしている。
【０００４】
つまり、上記床板体はベッドフレームに固定して設けられる固定床部を有し、上記背床部は上記固定床部に対して回動可能に連結されている。
【０００５】
したがって、利用者が上半身を起こすために上記背床部を駆動機構によって起立方向に駆動すると、この背床部は上記固定床部に連結された一端部を支点として起立方向に回動上昇する。上記背床部を起立方向に駆動すれば、上記床板体上のマットレス装置に仰臥した利用者はほとんど体力を使うことなく上半身を起こすことができる。
【０００６】
上記背床部を起上方向に回動上昇させると、床板体上に載置された上記マットレス装置は利用者の背面を押圧しながら上方に向かって湾曲される。上記マットレス装置は所定の厚さを有するため、上記背床部の起上にともなって湾曲したとき、湾曲の内側となるマットレス装置の上面側には長手方向の両端部から内方、つまり長手方向の中途部に向かう圧縮力が生じ、湾曲の外側となる下面側では長手方向の中途部から両端部に向かう引張力が発生する。
【０００７】
そのため、マットレス装置の上面によって押圧されながら上半身が起こされる利用者の背面には、上記マットレスの上面で発生した圧縮力が作用することになるため、その圧縮力によって背中が下方へ押圧されると同時に、臀部が後方である、湾曲の内側へ引き込まれる。それによって、利用者の身体の、とくに腹部が圧迫されるということが生じる。
【０００８】
そこで、従来はマットレス装置の袋状に縫製された外装体内に収容されるクッション材などの内装体を、マットレス装置の湾曲に応じて伸縮する材料によって第１の層状部材と、この第１の層状部材の下面側に位置する第２の層状部材とに分割する。それによって、上記内装体を湾曲させたとき、上記第１の層状部材と第２の層状部材が互いに滑動する構成としている。
【０００９】
このような構成によれば、上記マットレス装置を湾曲させたとき、マットレス装置の内装体の第１の層状部材と第２の層状部材は、上記内装体の全体の厚さに比べて薄い状態で、互いに滑動しながら別々に湾曲する。
【００１０】
したがって、背床部を起上方向に駆動して利用者が上半身を起こすとき、上側に位置する第１の層状部材が第２の層状部材に対して滑動しながら湾曲することで、マットレス装置を湾曲させたときに生じる利用者の背面に加わる圧縮力を、上記第１の層状部材の厚さに応じて小さくし、利用者に与える不快感を低減させるようにしている。
【先行技術文献】
【特許文献】
【００１１】
【特許文献１】特許第３５２５０２７号公報
【発明の概要】
【発明が解決しようとする課題】
【００１２】
ところで、従来のマットレス装置は１つの外装体の内部に、内装体を構成する弾性材料からなる第１の層状部材と第２の層状部材を積層して収容している。上記第１の層状部材と第２の層状部材は上記外装体内に滑動するよう収容されている。
【００１３】
しかしながら、利用者が上半身を起こすために背床部を起上方向に駆動して上記マットレス装置が上面側に湾曲させられるとき、上記第１の層状部材と上記第２の層状部材が滑動し難いため、マットレス装置を円滑に湾曲させることができないということがある。
【００１４】
それによって、マットレス装置の上面側に圧縮力が発生し、その圧縮力による圧迫感が利用者の背面に加わり、利用者に不快感を与えるということがある。
【００１５】
この発明は、利用者の上半身を起こすために湾曲させられたとき、利用者の背面に与える圧迫感を大幅に低減できるようにしたマットレス装置及びそのマットレス装置が用いられた起床式のベッド装置を提供することにある。
【課題を解決するための手段】
【００１６】
この発明は、利用者の上半身を起こすための起床式のベッド装置の床板体上に載置して用いられるマットレス装置であって、
上下に重ねられて使用される複数のマットレス部と、
互いに接触する下側のマットレス部と上側のマットレス部の上面と下面のうちのいずれか一方の面に長手方向に沿って形成された凸状部と、
上記上面と下面のうちの他方の面に上記凸状部が係合するよう長手方向に沿って形成された凹状部と
を具備したことを特徴とするマットレス装置にある。
【００１７】
この発明は、利用者の上半身を起こすための起床式のベッド装置の床板体上に載置して用いられるマットレス装置であって、
上下に重ねられて使用される複数のマットレス部と、
各マットレス部よりも硬質で折り曲げ可能な材料により帯板状に形成され上記マットレス部が折り曲げられたときに潰れて変形するのを制限するよう複数のマットレス部の少なくとも１つの幅方向の両端部に長手方向に沿って設けられ変形規制部材と
を具備したことを特徴とするマットレス装置にある。
【００１８】
各マットレス部は芯材を有し、この芯材は、厚さ方向に分割されて積層された複数の層状部材によって形成されていて、上記変形規制部材は積層された上下の層状部材の間に設けられていることが好ましい。
【００１９】
上記複数のマットレス部は外装地を有し、この外装地の上下に重ねられて互いに接触する一方の面は起毛された生地で形成され、他方の面は滑沢性を有する生地で形成されていることが好ましい。
【００２０】
上記マットレス部は、下部マットレス部、中間マットレス部及び上部マットレス部の３層構造であることが好ましい。
【００２１】
この発明は、利用者の上半身を起こすための起床式のベッド装置であって、
ベッドフレームと、複数の床部に分割されるとともに互いに回動可能に連結されて上記ベッドフレームに設けられた床板体と、
この床板体の床部を起伏駆動する駆動手段と、
上記床板体上に設けられるマットレス装置を具備し、
上記マットレス装置は請求項１又は請求項２に記載された構成であることを特徴とするベッド装置にある。
【発明の効果】
【００２２】
この発明によれば、複数のマットレス部を上下方向に重ねて使用するようにし、しかも上下に重ねられる一方のマットレス部の上面と他方のマットレス部の下面のどちらか一方に凸状部、他方に上記凸状部と係合する凹状部を、各マットレス部の長手方向に沿って形成した。
【００２３】
そのため、上下一対のマットレス部は、上記凸状部が上記凹状部にガイドされながら湾曲するから、複数のマットレス部の湾曲が円滑に行なわれるばかりか、上下のマットレス部が幅方向にずれるのを防止することができる。
【００２４】
また、この発明は、上下方向に重ねて使用される複数のマットレス部の幅方向の両端部に、上記マットレス部よりも硬質で折り曲げ可能な材料により帯板状に形成され上記マットレス部が折り曲げられたとき、上記マットレス部が潰れて変形するのを制限する変形規制部材を設けるようにした。
【００２５】
そのため、分割された複数のマットレス部が折り曲げられたとき、上記マットレス部が押し潰される状態に変形するのが制限されるから、複数のマットレス部は互いの接触面を円滑に滑動させながら湾曲するばかりか、マットレス部の変形が大きくなって利用者の背面に与える圧迫感が増大するのが防止される。
【図面の簡単な説明】
【００２６】
【図１】この発明の第１の実施の形態を示す起床式ベッド装置の正面図。
【図２】マットレス装置の３つのマットレス部を外装地の一部を破断して示す側面図。
【図３】（ａ）は下部マットレス部の上面を示す平面図、（ｂ）は同じく下面を示す平面図。
【図４】（ａ）は中間マットレス部の上面を示す平面図、（ｂ）は同じく下面を示す平面図。
【図５】（ａ）上部マットレス部の上面を示す平面図、（ｂ）は同じく下面を示す平面図。
【図６】（ａ）は下部芯材の上面を示す平面図、（ｂ）は同じく長手方向の端面を示す側面図。
【図７】（ａ）は中間芯材の上面を示す平面図、（ｂ）は同じく長手方向の端面を示す側面図。
【図８】（ａ）は上部芯材の下面を示す平面図、（ｂ）は同じく長手方向の端面を示す側面図、（ｃ）は同じく幅方向に沿う一部の断面図。
【図９】下部芯材、中間芯材及び上部芯材の長手方向の端面を示す側面図。
【図１０】この発明の第２の実施の形態を示す下部芯材、中間芯材及び上部芯材の長手方向の端面を示す側面図。
【発明を実施するための形態】
【００２７】
以下、この発明の実施の形態を図面を参照しながら説明する。
【００２８】
図１乃至図９はこの発明の第１の実施の形態で、図１は起床式のベッド装置１を示す。このベッド装置１はベース２を備えている。このベース２は矩形枠状に形成されていて、その下面四隅部にはストッパ付きのキャスタ３が設けられている。
【００２９】
上記ベース２の上面にはベッドフレーム４が設けられている。このベッドフレーム４の長手方向一端側にはヘッドボード５ａが立設され、他端にはフットボード５ｂが立設されている。
【００３０】
上記ベッドフレーム４の上面側には床板体６が設けられている。この床板体６はベッドフレーム４の長手方向に沿って５つの床部に分割され、その中央は上記ベッドフレーム４に固定された固定床部７となっている。
【００３１】
上記固定床部７のヘッドボード５ａ側には腰床部８と背床部９とが順次回動可能に連結されている。上記固定床部７のフットボード５ｂ側には第１の脚床部１１と第２の脚床部１２とが順次回動自在に連結されている。
【００３２】
上記ベッドフレーム４の下面側には駆動装置１３が設けられている。この駆動装置１３はケース１４を有し、このケース１４の一側には駆動モータ１５が設けられている。上記ケース１４の上記ヘッドボード５ａ側の一端部には第１の駆動軸１６が設けられ、上記フットボード５ｂ側の他端部には第２の駆動軸１７が設けられている。上記第１の駆動軸１６と第２の駆動軸１７は上記駆動モータ１５が作動することで、図中矢印で示す方向に回動されるようになっている。
【００３３】
上記第１の駆動軸１６の両端にはそれぞれ第１のアーム１８（一方のみ図示）の一端が連結され、上記第２の駆動軸１７の両端にはそれぞれ第２のアーム１９（一方のみ図示）の一端が連結されている。
【００３４】
上記第１のアーム１８の他端には一対の第１のローラ２１が回転可能に設けられ、これら第１のローラ２１は上記背床部９の背面に設けられた断面がコ字状のガイド部材２２に転動可能に係合している。上記第２のアーム１９の他端部には第２のローラ２３が回転可能に設けられ、この第２のローラ２３は上記第１の脚床部１１の下面に接触するようになっている。
【００３５】
上記駆動モータ１５の作動により、上記第１のアーム１８が起立方向に駆動されると、上記背床部９が上記第１のローラ２１によって押圧されて起上方向に回動する。それと同時に、上記背床部９の回動に上記腰床部８が連動するようになっている。
【００３６】
上記駆動モータ１５の作動により、上記第２のアーム１９が起立方向に駆動されると、上記第２のローラ２３によって上記第１の脚床部１１が上記固定床部７との連結端を支点として上昇方向に回動する。上記第１の脚床部１１の上昇方向の回動に上記第２の脚床部１２が連動する。それによって、上記第１、第２の脚床部１１，１２はほぼへの字状に屈曲することになる。
【００３７】
上記床板体６の上面にはマットレス装置３１が載置される。このマットレス装置３１は上記床板体６の各床部が起上方向に駆動されることで、その駆動に応じて湾曲されるようになっている。そして、上記マットレス装置３１は上記床板体６によって湾曲されたとき、湾曲の内側となる上面に生じる圧縮力が以下に述べる構造によって低減されるようになっている。
【００３８】
上記マットレス装置３１は上記床板体６の上面に載置される下部マットレス部３２と、この下部マットレス部３２の上面に載置される中間マットレス部３３と、この中間マットレス部３３の上面に載置される上部マットレス部３４の３つのマットレス部に分割されている。
【００３９】
図２に示すように、上記下部マットレス部３２、上記中間マットレス部３３及び上記上部マットレス部３４は、それぞれウレタンフォームなどの弾性材料によって形成された下部芯材３５、中間芯材３６及び上部芯材３７を、後述する布地によって袋状に縫製された下部外装地３８，中間外装地３９及び上部外装地４０に収容されて形成されている。
【００４０】
上記下部マットレス部３２の下部芯材３５は、図６（ａ），（ｂ）、図９に示すように弾性材料である、たとえば半硬質ウレタンフォームによって矩形板状に形成された、層状部材としての２枚の下部弾性シート３５ａを接着して形成されている。
【００４１】
接着された２枚の下部弾性シート３５ａの幅方向両端部の接合面間には、たとえばポリエチレンなどの上記下部弾性シート３５ａよりも硬質で、その下部弾性シート３５ａとともに折り曲げ可能な材料によって帯状に形成された、それぞれ２本の下部変形規制部材３５ｂが長手方向のほぼ全長にわたって設けられている。
【００４２】
上記下部芯材３５に上記下部変形規制部材３５ｂを設けることで、上記背床部９を起上させることで上記下部マットレス部３２が後述するように折り曲げられたとき、上記下部芯材３５の下部弾性シート３５ａが縮じみながら潰れる状態に変形するのを阻止するようになっている。
【００４３】
図３（ａ），（ｂ）に示すように、上記下部マットレス部３２の芯材３５を被覆した下部外装地３８は、下面が滑沢性を有する生地である、朱子織生地３８ａが用いられ、上面が起毛された生地である、スエード生地３８ｂが用いられている。
【００４４】
上記下部外装地３８の上面と下面には、それぞれ上記下部マットレス部３２の長手方向に沿う直線状に下部キルティング３８ｄが設けられている。さらに、上記下部外装地３８の上面の長手方向の一端部には連結手段を構成する一対のテープ状の第１の面状ファスナ３８ｅが長手方向に対して所定間隔で設けられている。
【００４５】
図６（ａ）に示すように、上記下部芯材３５の幅方向両端にはそれぞれ３つのフランジ布３５ｃの一端部が２枚の上記下部弾性シート３５ａの接合面間に接着されて設けられている。各フランジ布３５ｃの他端は、上記芯材３５を上記下部外装地３８によって被覆するとき、この下部外装地３８に縫合される。それによって、上記下部外装地３８が上記下部芯材３５に対してずれ動かないようになっている。
【００４６】
上記中間マットレス３３の中間芯材３６は、図７（ａ）、（ｂ）、図９に示すように弾性材料である、たとえば半硬質ウレタンフォームによって矩形板状に形成された層状部材としての中間弾性シート３６ａの上面の幅方向両端部に、半硬質ウレタンフォームによって形成された層状部材としての帯状部材３６ｂを接着し、一対の帯状部材３６ｂ間に比較的軟質なウレタンフォームによって矩形板状に形成された軟質シート３６ｃが上記中間弾性シート３６ａの上面に接着されている。
【００４７】
接着された上記中間弾性シート３６ａと帯状弾性部材３６ｂの幅方向両端部の接合面間には、たとえばポリエチレンなどの上記中間弾性シート３６ａや上記帯状弾性部材３６ｂよりも硬質で、上記中間弾性シート３６ａと上記帯状弾性部材３６ｂとともに折り曲げ可能な材料によって帯状に形成されたそれぞれ２本の中間変形規制部材３６ｄが長手方向のほぼ全長にわたって設けられている。
【００４８】
上記中間芯材３６に上記中間変形規制部材３６ｄを設けることで、上記背床部９を起上させることで、上記中間マットレス部３３が上記下部マットレス部３２とともに後述するように折り曲げられたとき、上記中間芯材３６の中間弾性シート３６ａが縮じみながら潰れる状態に変形するのを阻止するようになっている。
【００４９】
上記帯状弾性部材３６ｂの幅方向の外側の端部には、他の部分よりも高さ寸法が高い土手部３６ｅが形成されている。それによって、上記中間芯材３６の上面には、幅方向両端の一対の上記土手部３６ｅ間に、上記中間芯材３６の長手方向の全長にわる凹状部４２が形成されている。上記凹状部４２は上記中間芯材３６の長手方向両端に開放して形成されている。
【００５０】
上記中間マットレス部３３の中間芯材３６を被覆した上記中間外装地３９は、図４（ａ），（ｂ）に示すように下面が滑沢性を有する生地である、朱子織生地３９ａが用いられ、上面が起毛された生地である、スエード生地３９ｂが用いられている。
【００５１】
上記中間外装地３９の下面と上面には、それぞれ上記中間マットレス部３３の長手方向に沿う直線状の中間キルティング３９ｃが形成されている。さらに、上記中間外装地３９の長手方向の一端部の下面と上面には、上記下部外装地３８に設けられた第１の面状ファスナ３８ｅと対応する位置に、それぞれ連結手段としての第２の面状ファスナ３９ｄが設けられている。
【００５２】
そして、上記中間マットレス部３３は、その中間外装地３９の朱子織生地３９ａが設けられた下面を、上記床板体６上に載置された上記下部マットレス部３２の上面のスエード生地３８ｂに接触させて載置される。
【００５３】
それによって、上記下部マットレス部３２の上面に設けられた第１の面状ファスナ３８ｅに、上記中間マットレス部３３の下面に設けられた第２の面状ファスナ３９ｄが係着するから、上記下部マットレス部３２と上記中間マットレス部３３の長手方向の一端部が着脱可能に連結されることになる。
【００５４】
上記中間芯材３６の幅方向両端には、上記下部芯材３５のようにフランジ布３５ｃは設けられていない。さらに、図２に示すように、上記中間外装地３９の長手方向の一端部には三側辺にわたって開閉ファスナ３９ｅが設けられている。それによって、上記中間外装地３９は開閉可能となっていて、その内部に収容された上記中間芯材３６を出し入れできるようになっている。
【００５５】
なお、上記中間外装地３９に開閉ファスナ３９ｅを設けず、上記中間芯材３６にフランジ布を設け、上記中間芯材３６と上記中間外装地３９を上記フランジ布によって連結するようにしてもよい。
【００５６】
上記上部マットレス部３４の上部芯材３７は、図８（ａ）〜（ｃ）、図９に示すように弾性材料である、たとえば半硬質ウレタンフォームによって矩形板状に形成された基部弾性シート３７ａを有する。図８（ａ）は上記基部弾性シート３７ａの下面を示している。
【００５７】
上記基部弾性シート３７ａの下面の幅方向両端部を除く部分には、上記中間芯材３６の上面に形成された凹状部４２に対応する幅寸法で、この凹状部４２に係合する凸状部４３が長手方向全長にわたって形成されている。
【００５８】
上記基部弾性シート３７ａの上面の幅方向両端部を除く部分には、図８（ｃ）に示すように収容部４４が長手方向全長にわたって形成されている。この収容部４４には上記基部弾性シート３７ａよりも軟質なウレタンフォームによってシート状に形成された軟質シート４５が収容されている。
【００５９】
それによって、上記基部弾性シート３７ａを半硬質ウレタンフォームによって形成しても、上面側に設けられる上記軟質シート４５によって柔らかな感触を与えることができるようになっている。図８（ａ）に示すように、上記基部弾性シート３７ａの上面の幅方向両端部にはそれぞれ３つのフランジ布４６の一端部が接着固定されている。
【００６０】
なお、上記上部マットレス部３４の上部芯材３７の幅方向両端部には、上記下部芯材３５や上記中間芯材３６のように、これらの芯材３５，３６が折り曲げられたときに縮じみながら変形するのを規制する下部変形規制部材３５ｂや中間変形規制部材３６ｄに相当する変形規制部材は設けられていない。
【００６１】
しかしながら、上記上部芯材３７の上記基部弾性シート３７ａは半硬質ウレタンフォームによって形成されているため、折り曲げられたときの縮じみ変形量が小さいから、変形規制部材を設けなくとも、折り曲げ時に上記上部芯材３７が縮じみながら変形し難い状態にある。
【００６２】
なお、上記上部芯材３７の幅方向両端部に下部マットレス部３２や中間マットレス部３３と同様に、変形規制部材を設けるようにしてもよい。
【００６３】
図２と図５（ａ），（ｂ）に示すように、上記上部マットレス部３４の上記上部芯材３７を被覆した上部外装地４０は、下面は滑沢性を有する生地である、朱子織生地４０ａが用いられ、上面は起毛された生地である、スエード４０ｂが用いられている。
【００６４】
上記上部外装地４０の上面と下面には長手方向に沿うキルティング４０ｃが幅方向に所定間隔で設けられている。さらに、上記上部外装地４０の下面の長手方向の一端部には、上記中間マットレス部３３の上面に設けられた連結手段としての一対の第２の面状ファスナ３９ｄと対応する位置に、一対の第３の面状ファスナ４０ｄが設けられている。
【００６５】
上記上部マットレス部３４を上記中間マットレス部３３の上面に載置すると、上記第３の面状ファスナ４０ｄが上記第２の面状ファスナ３９ｄに着脱可能に係着する。つまり、上記上部マットレス部３４の長手方向の一端部が上記中間マットレス部３３の長手方向一端部に連結される。
【００６６】
そして、上記下部マットレス部３２、中間マットレス部３３及び上部マットレス部３４からなるマットレス装置３１は、図１に示すように第１の面状ファスナ３８ｅ、第２の面状ファスナ３９ｄ及び第３の面状ファスナ４０ｄによって連結された長手方向の一端部を上記フットボード５ｂ側に位置させて上記床板体６の上面に載置して使用されることになる。
【００６７】
上記構成のベッド装置１によれば、図１に示すように床板体６上に載置されたマットレス装置３１の上面に仰臥した利用者Ｕが上半身を起こしたい場合、駆動装置１３の第１の駆動軸１６を作動させる。それによって、第１のアーム１８が上昇方向に回動するから、この第１のアーム１８によって上記床板体６の背床部９と腰床部８が上昇方向に回動する。
【００６８】
上記背床部９と腰床部８が上昇方向に回動すると、上記マットレス装置３１のヘッドボード５ａ側に位置する部分、つまり他端部側が上方に向かって湾曲する。それによって、利用者Ｕは図１に示すように上半身が起こされることになる。
【００６９】
上記マットレス装置３１は、床板体６上に順次載置された下部マットレス部３２、中間マットレス部３３及び上部マットレス部３４によって形成されている。
【００７０】
上記マットレス装置３１が湾曲する際、下側に位置する上記下部マットレス部３２に比べて上側に位置する中間マットレス部３３の方が湾曲の度合が大きく、この中間マットレス部３３に比べてこの上側に位置する上記上部マットレス部３４の方がさらに湾曲の度合が大きい。
【００７１】
上記各マットレス部３２，３３，３４の一端部は第１乃至第３の面状ファスナ３８ｅ，３９ｄ，４０ｄによって連結されている。そのため、上記マットレス装置３１を湾曲させると、各マットレス部３２，３３，３４はそれぞれの湾曲度合に応じて他端側を上方へスライドさせながら湾曲することになる。
【００７２】
すなわち、上記下部マットレス部３２は床板体６の背床部９に対してスライドし、中間マットレス部３３は上記下部マットレス部３２の上面に対してスライドする。上記上部マットレス部３４は上記中間マットレス部３３の上面に対してスライドすることになる。
【００７３】
その結果、図１に示すように上記下部マットレス部３２の他端よりも上記中間マットレス部３３の他端が上方に突出し、上記中間マットレス部３３の他端よりも上記上部マットレス部３４の他端が上方へ突出した状態となる。
【００７４】
つまり、上記マットレス装置３１の下部マットレス部３２、中間マットレス部３３及び上部マットレス部３４の長手方向の一端部を連結したことで、これらマットレス部３２，３３，３４は、湾曲時に他端部側へ円滑にスライドスライドすることになる。
【００７５】
上記下部マットレス部３２、中間マットレス部３３及び上部マットレス部３４は別体に形成されている。つまり、各マットレス部３２，３３，３４はそれぞれ芯材３５，３６，３７を外装地３８，３９，４０によって被覆された構成である。
【００７６】
そのため、各マットレス部３２，３３，３４はそれぞれ独立して湾曲変形するから、これらマットレス部３２，３３，３４は円滑に湾曲することになる。
【００７７】
上記下部マットレス部３２の下部外装地３８の下面は滑沢性を有する朱子織生地３８ａが用いられているから、上記下部マットレス部３２の下面は上記床板体６の背床部９に対して円滑にスライドする。
【００７８】
上記下部マットレス部３２の下部外装地３８の上面はスエード生地３８ｂで、この上面に接触する上記中間マットレス部３３の下面は朱子織生地３９ａである。朱子織生地３９ａ滑沢性を有するから、上記下部外装地３８の上面のスエード生地３８ｂに対して滑り易い。
【００７９】
しかも、スエード生地３８ｂは起毛された生地であるから、上記下部マットレス部３２のスエード生地３８ｂと上記中間マットレス部３３の滑沢性を有する朱子織生地３９ａが互いにスライドしても、摩擦音が発生するということがほとんどない。つまり、背上げ時に上記下部マットレス部３２と上記中間マットレス部３３の間で摩擦音が発生して利用者Ｕに不快感を与えということがない。
【００８０】
さらに、上記下部マットレス部３２の上面と、上記中間マットレス部３３の下面にはそれぞれ長手方向に沿って下部キルティング３８ｄ、中間キルティング３９ｃが設けられている。これらのキルティング３８ｄ、３９ｃの方向と、上記下部マットレス部３２と上記中間マットレス部３３とがスライドする方向は同じであるから、そのことによっても湾曲時のスライドが円滑になるばかりか、摩擦音が発生するのが抑制されることになる。
【００８１】
上記下部マットレス部３２の下部芯材３５と、上記中間マットレス部３３の中間芯材３６の幅方向両端部には、それぞれ下部変形規制部材３５ｂと、中間変形規制部材３６ｄが長手方向に沿って設けられている。これらの変形規制部材３５ｂ，３６ｄは上記各芯材３５，３６を構成する弾性材料よりも硬い材料によって形成されている。
【００８２】
そのため、上記下部マットレス部３２と上記中間マットレス部３３が湾曲されるとき、下部芯材３５や中間芯材３６が潰れる状態に変形するのが阻止されるから、そのことによっても湾曲時における上記下部マットレス部３２と上記中間マットレス部３３とのスライドが円滑に行なわれることになる。
【００８３】
上記中間マットレス部３３のスエード生地３９ｂによって形成された上面には、上記上部マットレス部３４が朱子織生地４０ａによって形成された下面を接触させて載置されている。そのため、上記上部マットレス部３４の下面は上記中間マットレス部３３の上面に対して円滑に滑動することになる。
【００８４】
しかも、上記中間マットレス部３３の上面と、上記上部マットレス部３４の下面にはそれぞれ長手方向である、上記中間マットレス部３３と上記上部マットレス部３４のスライド方向に沿ってキルティング３９ｃ，４０ｃが形成さされている。そのため、そのことによっても上記中間マットレス部３３と上記上部マットレス部３４が円滑にスライドすることになる。
【００８５】
上記上部マットレス部３４の上部芯材３７には下部及び中間部の芯材３５，３６のように変形規制部材３５ｂ，３６ｄは設けられていないものの、上記上部芯材３７の基部弾性シート３７ａを半硬質ウレタンフォームによって形成した。
【００８６】
そのため、上記上部芯材３７は湾曲時に潰れ難いから、上記上部マットレス部３４は上記中間マットレス部３３に対して円滑にスライドする。しかも、上記上部芯材３７には、材質の異なる変形規制部材が設けられていないため、上記上部マットレス部３４に仰臥した利用者Ｕに大きな違和感を与えるということもない。つまり、変形規制部材を設けた場合のように、変形規制部材の硬さが利用者に伝わることがない。
【００８７】
上記上部芯材３７の上面側に形成された収容部４４には軟質シート４５が設けられている。そのため、上記軟質シート４５は上記上部マットレス部３４に仰臥した利用者Ｕに柔らかな感触を与えることになる。
【００８８】
上記中間マットレス部３３の上面には凹状部４２が長手方向に沿って形成され、上記上部マットレス部３４の下面には上記凹状部４２に係合する凸状部４３が長手方向に沿って形成されている。
【００８９】
そのため、湾曲時、上記中間マットレス部３３と上記上部マットレス部３４は上記凹状部４２と上記凸状部４３を係合させながらスライドするから、上記中間マットレス部３３と上記上部マットレス部３４が幅方向に対してずれ動くのが規制されることになるから、マットレス装置３１の湾曲を繰り返しても、使用状態が不安定になるのを防止できる。
【００９０】
以上のように、マットレス装置３１の、互いに重ねられた下部マットレス部３２、中間マットレス部３３及び上部マットレス部３４に湾曲度合の違いがあっても、これら３つのマットレス部３２，３３，３４を円滑に滑動させながら湾曲させることができる。そのため、とくに上部マットレス部３４の上面に圧縮力が蓄積され難くなるため、利用者Ｕに与える不快感を大幅に低減させることができる。
【００９１】
また、マットレス装置３１を下部マットレス部３２、中間マットレス部３３及び上部マットレス部３４の３つに分割したことで、２つの場合に比べて１つ当たりのマットレス部の厚さを薄くすることができる。
【００９２】
それによって、背上げ時に湾曲された上部マットレス部３４の上面に蓄積される圧縮力がさらに低減されることになるから、そのことによっても利用者Ｕに与える圧迫感を抑制することができる。
【００９３】
図１０に第２の実施の形態を示す。第１の実施の形態では、中間マットレス部３３の上面に凹状部４２を形成し、上部マットレス部３４の下面に凸状部４３を設けたが、図１０に示す第２の実施では第１の実施の形態の構成に加えて、下部マットレス部３２の上面に凸状部４７を設け、中間マットレス部３３には上面だけでなく、下面にも凹状部４８を設けるようにしている。
【００９４】
さらに、図１０に示す第２の実施の形態では、上部芯材３７の基部弾性シート３７ａの上面に収容部４４を形成せず、その上面を平坦面とし、その上面全体に軟質シート４５を接合させて接着する。そして、上記上部芯材３７の幅方向両端部の上記基部弾性シート３７ａと軟質シート４５の接合面間に、上記基部弾性シート３７ａよりも硬質な材料によって帯板状に形成されたそれぞれ一対の上部変形規制部材４９を設けるようにしている。
【００９５】
その場合、上記基部弾性シート３７ａは半硬質ウレタンフォームでなく、軟質シート４５と同様、軟質ウレタンフォームで形成するようにしてもよい。
【００９６】
このような構成によれば、マットレス装置３１の湾曲を繰り返しても、下部マットレス部３２に対して中間マットレス部３３が幅方向にずれるのが規制されるから、マットレス装置３１を安定した状態で使用することが可能となる。
【００９７】
しかも、上記上部芯材３７の幅方向両端部に設けた上部変形規制部材４９によって、マットレス装置３１を折り曲げたとき、上記上部芯材３７が潰れて変形するのを防止することができる。
【００９８】
なお、上記下部マットレス部３２の上面と上部マットレス部３４の下面に、凸条部４７，４３に代わって凹状部を形成し、中間マットレス部３３の上面と下面に凹状部４８に代わって凸状部を形成してもよい。
【００９９】
つまり、凹状部と凸状部の組み合わせは種々変形可能であって、要は上下に位置するマットレス部の上面と下面とに、互いに係合するよう凹状部と凸状部が形成されていればよい。このことは第１の実施の形態においても同様である。
【０１００】
さらに、マットレス装置を下部マットレス部、中間マットレス部及び上部マットレス部の３つに分割する例を挙げて説明したが、上記マットレス装置は上下２つのマットレス部に分割された構成、或いは４つ以上に分割された構成であってもよく、その数は限定されるものではない。
【０１０１】
また、マットレス装置の複数のマットレス部はそれぞれ芯材を外装地に収容して別体の構成としたが、伸縮性を有する布地によって縫製された１つの袋状の外装地内に、複数のマットレス部を収容するようにしてもよい。
【０１０２】
さらに、複数のマットレス部を芯材だけとし、伸縮性を有する布地によって袋状に縫製された１つの外装地内に複数の芯材を収容するようにしてもよい。その際、上下に重なり合う複数の芯材の間に、滑沢性を備えたシートを介在させるようにしてもよい。
【符号の説明】
【０１０３】
１…ベッド装置、３１…マットレス装置、３２…下部マットレス部、３３…中間マットレス部、３４…上部マットレス部、３５…下部芯材、３５ａ…弾性シート（層状部材）、３５ｂ…下部変形規制部材、３６…中間芯材、３６ａ…中間弾性シート（層状部材）、３６ｂ…帯状弾性部材（層状部材）、３６ｄ…中間変形規制部材、３７…上部芯材、３８…下部外装地、３８ａ，３９ａ，４０ａ…朱子織り生地、３８ｂ，３９ｂ，４０ｂ…スエード生地、３８ｅ，３９ｄ，４０ｄ…面状ファスナ（連結手段）、３９…中間外装地、４０…上部外装地、４２，４８…凹状部、４３，４７…凸状部、４９…上部変形規制部材。
【図１】
2014204748.tif 000003
【図２】
2014204748.tif 000004
【図３】
2014204748.tif 000005
【図４】
2014204748.tif 000006
【図５】
2014204748.tif 000007
【図６】
2014204748.tif 000008
【図７】
2014204748.tif 000009
【図８】
2014204748.tif 000010
【図９】
2014204748.tif 000011
【図１０】
2014204748.tif 000012